(57)【特許請求の範囲】
【請求項１】
三脚に固定して静止被写体を撮影する撮影モードと手持ち撮影モードとを選択可能な選択部と、
絞り値を設定するための絞り値設定部と、
前記選択部により前記手持ち撮影モードが選択された場合、プレビュー釦が操作されたときに設定された絞り値になるように絞りを制御し、前記選択部により前記三脚に固定して静止被写体を撮影する撮影モードが選択された場合、プレビュー釦が操作されていないときでも設定された絞り値になるように絞りを制御する絞り制御部と、
電荷蓄積時間を第１範囲内の略中央の値に設定する第１制御と、前記第１範囲内で撮像部の電荷蓄積時間を設定することにより露出制御をする第２制御と、前記第１範囲には含まれない第２範囲内で撮像部の電荷蓄積時間を設定することにより露出制御をする第３制御とが可能な蓄積制御部と、
撮像感度を制御する感度制御部とを含み、
前記選択部により前記三脚に固定して静止被写体を撮影する撮影モードが選択されており、かつ、ライブビュー開始後の露出制御が未だ行われていなかった場合、前記蓄積制御部が前記第１制御を行った後、前記感度制御部が露出制御できないと判断したとき前記蓄積制御部が前記第３制御を行い、
前記選択部により前記三脚に固定して静止被写体を撮影する撮影モードが選択されており、かつ、ライブビュー開始後の露出制御が既に行われていた場合、前記蓄積制御部が前記第１範囲内で露出制御できると判断したとき前記蓄積制御部が前記第２制御を行う、ことを特徴とするカメラ。
【請求項２】
請求項１に記載されたカメラにおいて、
前記選択部により前記三脚に固定して静止被写体を撮影する撮影モードが選択されており、かつ、ライブビュー開始後の露出制御が未だ行われていなかった場合であって、前記蓄積制御部が前記第１制御を行った後、前記感度制御部が露出制御できると判断したとき前記感度制御部が露出制御を行う、ことを特徴とするカメラ。
【請求項３】
請求項２に記載されたカメラにおいて、
前記選択部により前記三脚に固定して静止被写体を撮影する撮影モードが選択されており、かつ、ライブビュー開始後の露出制御が既に行われていた場合であって、前記蓄積制御部が前記第１範囲内で露出制御できないと判断したとき、前記蓄積制御部が前記第１制御を行った後、前記感度制御部が露出制御できないと判断したとき前記蓄積制御部が前記第３制御を行うことを特徴とするカメラ。
【請求項４】
請求項３に記載されたカメラにおいて、
前記選択部により前記三脚に固定して静止被写体を撮影する撮影モードが選択されており、かつ、ライブビュー開始後の露出制御が既に行われていた場合であって、前記蓄積制御部が前記第１範囲内で露出制御できないと判断したとき、前記蓄積制御部が前記第１制御を行った後、前記感度制御部が露出制御できると判断したとき前記感度制御部が露出制御を行う、ことを特徴とするカメラ。
【請求項５】
請求項１から請求項４までのいずれか１項に記載のカメラにおいて、
絞り開口を規定する絞り部を備えた交換レンズ鏡筒を通過した被写体光を結像する結像部とを備え、
前記制御部は、前記絞り値設定部を介した設定が行われた場合には、前記結像部に前記被写体光を結像した状態であっても前記絞り開口を変更させること
を特徴とするカメラ。
【請求項６】
請求項５に記載のカメラにおいて、
前記結像部は、前記被写体光を電気信号に変換して出力する固体撮像素子の結像面部であり、
前記制御部は、前記絞り値設定部を介した設定が行われた場合には、前記固体撮像素子の出力に基づくスルー画像を表示している状態であっても前記絞り開口を変更させること
を特徴とするカメラ。
【発明の詳細な説明】
【技術分野】
【０００１】
本発明は、カメラ及び交換レンズ鏡筒に関するものである。
【背景技術】
【０００２】
従来、プレビュースイッチと称される操作部材を備え、このプレビュースイッチが操作された場合に絞り部を予め設定された撮影絞り値に制御するカメラが知られている（例えば、特許文献１参照）。
【特許文献１】特開平１０−１４８８６５号公報
【発明の開示】
【発明が解決しようとする課題】
【０００３】
上記従来のカメラは、撮影時の絞り値の設定を変更した場合には、その都度プレビュースイッチを操作しなければ当該絞り値における被写界深度の確認をできないため、操作が煩雑であった。
本発明の課題は、操作性が向上したカメラ及び交換レンズ鏡筒を提供することである。
【課題を解決するための手段】
【０００４】
本発明は、以下のような解決手段により、前記課題を解決する。
請求項１の発明は、三脚に固定して静止被写体を撮影する撮影モードと手持ち撮影モードとを選択可能な選択部と、絞り値を設定するための絞り値設定部と、前記選択部により前記手持ち撮影モードが選択された場合、プレビュー釦が操作されたときに設定された絞り値になるように絞りを制御し、前記選択部により前記三脚に固定して静止被写体を撮影する撮影モードが選択された場合、プレビュー釦が操作されていないときでも設定された絞り値になるように絞りを制御する絞り制御部と、電荷蓄積時間を第１範囲内の略中央の値に設定する第１制御と、前記第１範囲内で撮像部の電荷蓄積時間を設定することにより露出制御をする第２制御と、前記第１範囲には含まれない第２範囲内で撮像部の電荷蓄積時間を設定することにより露出制御をする第３制御とが可能な蓄積制御部と、撮像感度を制御する感度制御部とを含み、前記選択部により前記三脚に固定して静止被写体を撮影する撮影モードが選択されており、かつ、ライブビュー開始後の露出制御が未だ行われていなかった場合、前記蓄積制御部が前記第１制御を行った後、前記感度制御部が露出制御できないと判断したとき前記蓄積制御部が前記第３制御を行い、前記選択部により前記三脚に固定して静止被写体を撮影する撮影モードが選択されており、かつ、ライブビュー開始後の露出制御が既に行われていた場合、前記蓄積制御部が前記第１範囲内で露出制御できると判断したとき前記蓄積制御部が前記第２制御を行う、ことを特徴とするカメラである。
【０００５】
請求項２の発明は、請求項１に記載されたカメラにおいて、前記選択部により前記三脚に固定して静止被写体を撮影する撮影モードが選択されており、かつ、ライブビュー開始後の露出制御が未だ行われていなかった場合であって、前記蓄積制御部が前記第１制御を行った後、前記感度制御部が露出制御できると判断したとき前記感度制御部が露出制御を行う、ことを特徴とするカメラである。
請求項３の発明は、請求項２に記載されたカメラにおいて、前記選択部により前記三脚に固定して静止被写体を撮影する撮影モードが選択されており、かつ、ライブビュー開始後の露出制御が既に行われていた場合であって、前記蓄積制御部が前記第１範囲内で露出制御できないと判断したとき、前記蓄積制御部が前記第１制御を行った後、前記感度制御部が露出制御できないと判断したとき前記蓄積制御部が前記第３制御を行うことを特徴とするカメラである。
【０００６】
請求項４の発明は、請求項３に記載されたカメラにおいて、前記選択部により前記三脚に固定して静止被写体を撮影する撮影モードが選択されており、かつ、ライブビュー開始後の露出制御が既に行われていた場合であって、前記蓄積制御部が前記第１範囲内で露出制御できないと判断したとき、前記蓄積制御部が前記第１制御を行った後、前記感度制御部が露出制御できると判断したとき前記感度制御部が露出制御を行う、ことを特徴とするカメラである。
請求項５の発明は、請求項１から請求項４までのいずれか１項に記載のカメラにおいて、絞り開口を規定する絞り部を備えた交換レンズ鏡筒を通過した被写体光を結像する結像部とを備え、前記制御部は、前記絞り値設定部を介した設定が行われた場合には、前記結像部に前記被写体光を結像した状態であっても前記絞り開口を変更させることを特徴とするカメラである。
【０００７】
請求項５に記載のカメラにおいて、前記結像部は、前記被写体光を電気信号に変換して出力する固体撮像素子の結像面部であり、前記制御部は、前記絞り値設定部を介した設定が行われた場合には、前記固体撮像素子の出力に基づくスルー画像を表示している状態であっても前記絞り開口を変更させることを特徴とするカメラである。
なお、上記構成は、適宜改良してもよく、また、少なくとも一部を他の構成物に代替してもよい。
【発明の効果】
【０００９】
本発明によれば、操作性が向上したカメラ及び交換レンズ鏡筒を提供することができる。
【発明を実施するための最良の形態】
【００１０】
［第１実施形態］
以下、図面を参照して、本発明を適用したカメラの第１実施形態であるカメラ本体を含むカメラシステムについて説明する。
図１は、第１実施形態のカメラシステムな構造を示す図である。
この図１において、（ａ）は、被写体光をファインダ光学系に導く観察状態を示し、（ｂ）は、被写体光を撮像部に露光する露光状態を示している。
【００１１】
カメラシステム１は、交換レンズ鏡筒１０と、この交換レンズ鏡筒１０がマウント部Ｍを介して着脱可能に装着されるカメラ本体２０とを備えた一眼レフデジタルカメラシステムである。
【００１２】
交換レンズ鏡筒１０は、撮影レンズ１１、及び、この撮影レンズ１１を通過する被写体光の光量を調節する絞り部１２を備えている。
絞り部１２は、複数の絞り羽根１２ａを備えた公知の光彩絞りであり、これらの絞り羽根１２ａによって絞り開口を規定している。
絞り部１２は、複数の絞り羽根１２ａを支持する円環状の支持部材１２ｂを備えており、この支持部材１２ｂには、カメラ本体２０側に突き出して設けられた鏡筒側レバー１２ｃが機械的に接続されている。絞り部１２は、この鏡筒側レバー１２ｃが駆動されると支持部材１２ｂ及び絞り羽根１２ａが連動して駆動され、絞り開口の開口径が変化するようになっている。
【００１３】
カメラ本体２０は、撮像部２１、信号処理部２２、ミラーユニット２３、シャッタ２４、ファインダ光学系２５、表示部２６、コマンドダイヤル２７、絞り駆動部２８、及び、制御部３０を備えている。
【００１４】
撮像部２１は、その結像面に撮影レンズ１１を通過した被写体光が露光されると、この被写体光を電気信号に変換して出力する固体撮像素子である。撮像部２１には、例えば、ＣＭＯＳやＣＣＤ等を使用することができる。
信号処理部２２は、撮像部２１から出力された電気信号のノイズ除去、Ａ／Ｄ変換等を行って画像データを生成する部分である。
【００１５】
ミラーユニット２３は、撮影レンズ１１を通過した被写体光を後述するファインダ光学系２５に反射する鏡を備えており、撮像部２１の入射面側に配置されている。
ミラーユニット２３は、図示しないレリーズ釦が全押し操作されると、端部に設けられた軸回りに回動して、その反射面が光軸に対して略平行となる位置に退避（図１（ｂ）参照）する、いわゆる、クイックリターンミラーである。
シャッタ２４は、レリーズ釦の全押し操作に応じて開閉動作を行う公知のフォーカルプレンシャッタであり、撮像部２１とミラーユニット２３との間に設けられている。
【００１６】
ファインダ光学系２５は、ミラーユニット２３によって反射された被写体光が結像されるスクリーン２５ａと、このファインダ光学系２５を用いて撮影を行う際に撮影者が目を接近させる接眼レンズ２５ｂと、スクリーン２５ａに結像された被写体像を接眼レンズ２５ｂに導くプリズム２５ｃとを備えている。
【００１７】
表示部２６は、カメラ本体２０の背面部に設けられ、撮影済みの画像や、撮影条件時の設定が可能なメニュー画面等を表示可能になっている。
また、カメラ１は、撮像部２１の出力に基づく画像（スルー画像）を、略リアルタイムで表示部２６に表示させる機能を有しており、撮影者は、この画像を確認しながら撮影構図の決定を行うことができるようになっている。以下、本明細書において、このような機能をライブビュー機能と称して説明する。また、このライブビュー機能を用いて撮影を行う際に表示部２６に表示される画像をスルー画像と称して説明する。
【００１８】
コマンドダイヤル２７は、例えば、カメラ本体２０のグリップ部等に設けられた機械的なダイヤルスイッチであり、一例として、撮影時の絞り値を入力する際に操作される。このコマンドダイヤル２７は、所定の回転角度ごとにクリック感を発生するようになっている。
【００１９】
絞り駆動部２８は、後述する制御部３０から発信される絞り駆動信号に応じて交換レンズ鏡筒１０に備えられた絞り部１２を駆動する部分である。絞り駆動部２８は、交換レンズ鏡筒１０の鏡筒側レバー１２ｃに機械的に係合する本体側レバー２８ａと、このレバーを駆動する図示しない電動アクチュエータ等を備えている。
【００２０】
制御部３０は、カメラ１に備えられた電気要素を統括的に制御する部分であり、マイコン等の演算装置を備えている。
【００２１】
ここで、本実施形態のカメラシステム１は、撮影モードとして、撮影時のシャッタスピードや絞り値（Ｆ値）等の露出条件を撮影者が手入力するマニュアル撮影モードや、測光センサの出力に応じて露出条件をカメラ側が自動で決定するＡＥモードとが選択可能になっている。そして、カメラシステム１は、ＡＥモードとして、撮影時の絞り値を撮影者が手入力し、この撮影時の絞り値を固定値としてシャッタスピード等をカメラ側が自動的に調節する絞り優先ＡＥモードが用意されている。この絞り優先ＡＥモードにおいて、撮影者は、入力操作部であるコマンドダイヤル２７を操作することによって、撮影時の絞り値を入力する。
【００２２】
そして、本実施形態のカメラシステム１は、例えば、マニュアル撮影モードや絞り優先ＡＥモードが選択されている場合に、撮影者によってコマンドダイヤル２７を操作されると、フレーミング中であっても制御部３０がこれに応じて随時絞り駆動部２８を制御し、マウント部Ｍ（装着部）に装着されている交換レンズ鏡筒１０の絞り部１２を駆動してその開口径を変化させるようになっている。
【００２３】
前述のように、本実施形態のカメラシステム１では、ライブビュー撮影モードを選択した場合、撮影者は、表示部２６に表示されたスルー画像を確認しながらフレーミング（構図の選択）を行う。そして、カメラシステム１は、撮影者がスルー画像を確認しながらフレーミングを行っている間であっても、コマンドダイヤル２７が操作されると、その操作に連動して（その操作のタイミングで）絞り開口が変更するようになっており、この絞り開口の変化は、被写界深度の変化となってスルー画像にダイレクトに反映される。
【００２４】
以上の制御は、カメラシステム１を、例えば、三脚等に固定して静止被写体を撮影する場合等に撮影者によって選択されるスタジオ撮影モードにおいて実行される。スタジオ撮影モードでは、静止被写体の特定の位置にピンポイントでピントを合わせつつ、背景がボケた写真を撮影することを想定しているので、被写界深度の変化をダイレクトに確認できると便利である。なお、本実施形態のカメラシステム１は、撮影者がカメラ本体２０を手持ちした状態で、ライブビュー表示でフレーミング確認しながら撮影する場合等に撮影者によって選択される手持ち撮影モードをもつものである。この手持ち撮影モードにおける被写界深度の確認方法については、後述する。
【００２５】
なお、ファインダ光学系２５を用いてフレーミング及び撮影を行う場合であっても、制御部３０は、同様にコマンドダイヤル２７の操作に応じて絞り値を変化させる。したがって、撮影者は、ファインダ光学系２５を用いて被写体の光学像を観察する場合であっても、コマンドダイヤル２７の操作に応じた被写体像の被写界深度の変化を確認できる。
【００２６】
次に、本実施形態の制御部３０に備えられた露出制御部４０が行うスルー画像の表示輝度制御について説明する。
カメラシステム１は、前述のようにスルー画像の表示中であっても、コマンドダイヤル２７の操作に応じて即時に絞り部１２が駆動されて絞り開口が変化するようになっている。
一方、スルー画像の表示状態で絞り値を変更させると、スルー画像が明るく又は暗くなり、スルー画像の視認性を損なう可能性がある。
【００２７】
そこで、本実施形態のカメラシステム１は、露出制御部４０が絞り値Ａｖ（Aperture  value）が変化してもスルー画像の明るさが急激に変わらないように、撮像部２１の撮像感度Ｓｖ（Speed  value）及び撮像部２１の撮像蓄積時間Ｔｖ（Time  value）を適宜制御することによってスルー画像の視認性を確保するようになっている。ここで、撮像蓄積時間Ｔｖとは、前述のシャッタユニット（不図示）によって設定されるシャッタスピードを示すものではなく、撮像部２１における被写体光を蓄積する時間（撮像部２１自身における電子シャッタ時間）を意味するものとする。
【００２８】
以下、第１実施形態のカメラシステムを用いて撮影を行う際に制御部３０（露出制御部４０を含む）が行う制御について、フローチャートを用いて説明する。
図２は、図１に示すカメラシステムを用いて撮影を行う際に制御部が行う制御を示すフローチャートである。
この図２のフローチャートに示す制御は、スタジオ撮影モードが選択され、かつ、絞り優先ＡＥモード等の撮影者が設定した絞り値で撮影を行う撮影モードが設定された場合に実行される。以下、ステップごとに説明する。
【００２９】
（ステップＳ０１：撮影絞り値Ａｖ判定）
本フローは、撮影者によってスルー画像の表示開始を指示する入力があった場合にスタートする。スルー画像の表示開始は、例えば、ライブビュー撮影モードを選択した後のレリーズ釦の全押し操作に応じて行われる。
このステップＳ０１において、制御部３０は、撮影者によって設定された撮影時の絞り値Ａｖを判定してステップＳ０２に進む。本フローでは、絞り優先ＡＥモードが選択されているので、露出制御部４０は、絞り値Ａｖを変更する旨の入力がない限り、このとき判定した絞り値Ａｖを固定値として後述する露出条件の演算を行う。
【００３０】
（ステップＳ０２：被写体輝度測定）
制御部３０は、ミラーユニット２３を退避位置に駆動するとともに、シャッタ２４を開放制御して被写体光を撮像部２１に露光させる（図１（ｂ）参照）。制御部３０は、この状態で撮像部２１を駆動してステップＳ０３に進む。撮像部２１は、被写体光を電気信号に変換して出力し、信号処理部２２が撮像部２１から出力された電気信号をＡ／Ｄ変換して画像データを生成する。
【００３１】
（ステップＳ０３：適正露出としてのＢｖ算出）
制御部３０は、信号処理部２２が生成した画像データに含まれる被写体の輝度情報に基づいて、適正露出としての輝度値Ｂｖ（Brightness  value）を算出する。このように、ライブビュー撮影モードにおいて、撮像部２１は、測光センサとして機能する。
露出制御部４０は、このステップＳ０３で求めた適正露出としての輝度値Ｂｖと、撮影絞り値Ａｖ（ステップＳ０１において判定した固定値）、撮像蓄積時間Ｔｖ及び撮像感度Ｓｖに基づいて演算される輝度値Ｂｖとの差分ΔＢｖを略ゼロにする制御を以降のステップで行う。
【００３２】
（ステップＳ０４：ライブビューのループ判定）
制御部３０は、ライブビュー撮影モードにおけるループ判定を行う。ライブビュー撮影モードを開始してから１ループ目（スルー画像の１フレーム目）の露出制御を行う場合には、ステップＳ０５に進み、２ループ目（スルー画像の２フレーム目）以降である場合には、ステップＳ１１に進む。
【００３３】
（ステップＳ０５：撮像蓄積時間Ｔｖの仮設定）
ここで、撮像部２１は、電荷蓄積のタイミングを、例えば、蛍光灯等のフリッカー光源のフリッカー周波数に同期させることで出力信号に対するフリッカーの影響を低減することができる。
このため、撮像蓄積時間Ｔｖを演算するに際して、露出制御部４０は、まず撮像蓄積時間Ｔｖをフリッカーの影響を受けにくい範囲の中央の値に仮固定する。
本実施形態の撮像部２１は、撮像蓄積時間（電子シャッタ秒時）Ｔｖを、例えば、１／３０秒から１／８０００秒の間で、１／３段ステップで変更できるようになっているが、このステップＳ０５では、フリッカーの影響を受けにくい撮像蓄積時間Ｔｖの範囲を、例えば、１／３０秒（上限）から１／１００秒（下限）までとする。以下、この撮像蓄積時間Ｔｖの範囲を第１優先範囲と称して説明する。
【００３４】
なお、この第１優先範囲の上限及び下限の値は適宜変更可能であり、上記数値に限定されるものではない。このステップＳ０５において、露出制御部４０は、撮像蓄積時間Ｔｖを上記範囲の中央の値である撮像蓄積時間Ｔｖ＝１／５０秒に設定（仮固定）してステップＳ０６に進む。なお、このときの撮像蓄積時間Ｔｖの値は、これに限らず、撮影時の照明光の点灯周期に応じて適宜変更するとよい。
例えば、電源の周波数が５０Ｈｚの場合には、撮影用照明光のフリッカー周波数は１００Ｈｚ（点灯周期１０ｍｓ）となるので、撮像蓄積時間Ｔｖは、１０ｍｓの整数倍（１／１００秒、１／５０秒、１／２５秒等）が好ましく、周波数が６０Ｈｚであれば、１／１２０秒、１／６０秒、１／３０秒等が好ましい。
【００３５】
（ステップＳ０６：撮像感度Ｓｖ決定）
露出制御部４０は、撮像部２１の撮像感度Ｓｖの値を算出してステップＳ０７に進む。撮像感度Ｓｖは、絞り値Ａｖ（ステップＳ０１）及び撮像蓄積時間Ｔｖ（ステップＳ０５）がそれぞれ決定しているので、ステップＳ０２で算出した輝度値Ｂｖに基づいて自動的に決定される。
【００３６】
（ステップＳ０７：撮像感度Ｓｖによる制御可否判定）
露出制御部４０は、ステップＳ０６で演算した撮像感度Ｓｖが撮像感度Ｓｖの制御可能範囲を超えているか否かを判定する。本実施形態の撮像部２１の撮像感度Ｓｖは、例えば、ＩＳＯ１００（下限）からＩＳＯ１６００（上限）までの間で制御可能となっている。そして、ステップＳ０６で決定した撮像感度Ｓｖが、この制御可能範囲を超えている場合にはステップＳ０８に進み、上記制御可能内に収まっている場合には、ステップＳ１０に進む。
【００３７】
（ステップＳ０８：ΔＢｖ算出）
ステップＳ０６で決定した撮像感度Ｓｖが制御可能範囲の上限値（又は下限値）を超える場合、露出制御部４０は、撮像感度Ｓｖを上限値（又は下限値）として輝度値Ｂｖを演算し、この演算結果である輝度値Ｂｖと、ステップＳ０３で算出した適正露出としての輝度値Ｂｖとの差分ΔＢｖを演算してステップＳ０９に進む。
【００３８】
（ステップＳ０９：ΔＢｖ分の撮像蓄積時間Ｔｖシフト）
露出制御部４０は、ステップＳ０５で仮固定した撮像蓄積時間Ｔｖをシフトさせ、ステップＳ０８で求めた輝度値Ｂｖの差分ΔＢｖをゼロにする。
なお、露出制御部４０は、ステップＳ０５では撮像蓄積時間Ｔｖをフリッカーの影響を受けにくい第１優先範囲内で設定したが、このステップＳ０９においては、輝度値Ｂｖの調整を優先して上記フリッカーの影響を受けにくい範囲を超えた範囲内（以下、第２優先範囲と称する）で撮像蓄積時間Ｔｖをシフトする。本実施形態において、この第２優先範囲は、撮像蓄積時間Ｔｖの制御可能範囲とする。
【００３９】
（ステップＳ１０：絞り値Ａｖ、撮像蓄積時間Ｔｖ、撮像感度Ｓｖ制御）
露出制御部４０は、ステップＳ０１で判定した絞り値Ａｖと、ステップＳ０６又はステップＳ０８で設定した撮像感度Ｓｖと、ステップＳ０５又はステップＳ０９で設定した撮像蓄積時間Ｔｖとに基づいて、撮像部２１及び絞り駆動部２８を制御してスルー画像の表示輝度を調整する（ステップＳ０１に戻る）。
【００４０】
次に、ステップＳ０１に戻って、ライブビュー撮影モードが２ループ目以降である場合の露出制御について説明する。
（ステップＳ０１〜Ｓ０４：２ループ目のＢｖ算出）
露出制御部４０は、ライブビュー撮影モードが２ループ目以降であっても、１ループ目と同様に撮影絞り値Ａｖの判定（ステップＳ０１）を行うとともに、撮像部２１の出力に基づいて適正露出としての輝度値Ｂｖを算出する（ステップＳ０２及びＳ０３）。そして、ステップＳ０４では、ライブビューが２ループ目以降であるので、ステップＳ１１に進む。
【００４１】
（ステップＳ１１：ΔＢｖ算出）
露出制御部４０は、ステップＳ０３で算出した輝度値Ｂｖと、ステップＳ０１で判定した絞り値Ａｖ、１ループ前の露出制御で用いた撮像蓄積時間Ｔｖ及び撮像感度Ｓｖ（ステップＳ１０又は後述するステップＳ１４で設定）から演算される輝度値Ｂｖとの差分ΔＢｖを演算してステップＳ１２に進む。
【００４２】
（ステップＳ１２：撮像蓄積時間Ｔｖシフトよる調整可否判定）
露出制御部４０は、２ループ目以降では、撮像蓄積時間Ｔｖを第１優先範囲内でシフトさせることによって、ステップＳ１１で演算した差分ΔＢｖをゼロにできるか否かを判定する。露出制御部４０は、差分ΔＢｖをゼロにできると判定した場合には、ステップＳ１３に進む。
これに対し、露出制御部４０は、差分ΔＢｖをゼロにできないと判定した場合には、ステップＳ０５に進み、１ループ目と同様にステップＳ０５以降の処理、すなわち、撮像蓄積時間Ｔｖを第１優先範囲の中央値に仮決め（ステップＳ０５）して撮像感度Ｓｖを演算（ステップＳ０６）し、撮像感度Ｓｖによる制御が不可能な場合には、撮像蓄積時間Ｔｖを第２優先範囲内でシフト（ステップＳ０９）させる。
【００４３】
（ステップＳ１３：Ｔｖシフト）
露出制御部４０は、ステップＳ１１で演算した差分ΔＢｖをゼロにすることができるような撮像蓄積時間Ｔｖの値を、撮像蓄積時間Ｔｖを第１優先範囲内でシフトさせることによって決定する（ステップＳ１４に進む）。
【００４４】
（ステップＳ１４：Ｔｖ、Ａｖ制御）
露出制御部４０は、ステップＳ０１で判定した絞り値Ａｖと、１ループ前の露出制御で設定した撮像感度Ｓｖと、ステップＳ１３で決定した撮像蓄積時間Ｔｖとに基づいて、絞り部１２及び撮像部２１を制御してスルー画像の表示輝度を調整する（ステップＳ０１に戻る）。なお、カメラシステム１は、ステップＳ１３において撮像蓄積時間Ｔｖを第２優先範囲内でシフトさせることによって差分ΔＢｖをゼロにすることができない場合であっても、絞り値Ａｖを変更する制御は行わず、撮影者によって指定された撮影絞り値Ａｖを優先する（スルー画像の表示輝度が暗く又は明るくなる）。
【００４５】
ここで、本実施形態のカメラシステム１は、前述のようにスルー画像を表示させた状態であっても、コマンドダイヤル２７が操作されるとこれに応じて絞り駆動部２８が絞り部１２を駆動して絞り開口を変化させるようになっている。
したがって、図３に示す露出制御フロー（スルー画像の表示輝度調整フロー）において、途中で絞り値Ａｖが変更され場合には、変更後の絞り値Ａｖを新たな撮影絞り値Ａｖとしてスルー画像の表示輝度調整を行う。
【００４６】
図３は、図１に示す制御部がコマンドダイヤルの操作に応じて絞り値を変更する際の制御を示すフローチャートである。
（ステップＳ２０：コマンドダイヤル操作検出）
制御部３０は、ライブビュー撮影モードにおいて、コマンドダイヤル２７の操作を検出すると、これに応じてステップＳ２１に進む。
【００４７】
（ステップＳ２１：変更後の絞り値決定）
制御部３０は、コマンドダイヤル２７の操作量に応じて変更後の絞り値Ａｖを決定する。具体的には、コマンドダイヤル２７が、例えば、１クリック分回転されたことを検出した場合に、これに応じた段数分、絞り値Ａｖを変化させる。コマンドダイヤル２７が１クリック分回転された場合に絞り値Ａｖがどの程度変化するかは、カメラ本体２０において、例えば、１／３段分、１／２段分、１段分等、任意に設定できるようになっている。
【００４８】
なお、図３に示す絞り値の変更制御は、図２に示す露出調整制御と並行して行われる。ステップＳ２１において絞り値を変更する処理が行われた場合、この処理は、図２に示す露出制御フローのステップＳ０１の前に割り込み、制御部３０は、この割り込み処理が実行された場合には、他の処理を中断してステップＳ０１に戻り、ステップＳ０１以降の処理を行う。
【００４９】
なお、本実施形態のカメラ本体２０は、図１に示すように、プレビュー釦２９と称される押し釦スイッチを備えている。カメラシステム１は、例えば、既述した手持ち撮影モード等において、このプレビュー釦２９が操作されると絞り駆動部２８が駆動され、設定した撮影時の絞り値Ａｖになるように交換レンズ鏡筒１０の絞り部１２が駆動される。撮影者は、プレビュー釦２９を操作することによって被写界深度（背景のボケ具合）の確認行うことができる。ただし、絞り値Ａｖを変更する度にプレビュー釦２９を操作しなければならないといった、従来技術と同様のわずらわしさがある。
【００５０】
以上説明した第１実施形態のカメラシステム１によれば、以下の効果を得ることができる。
（１）本実施形態のカメラシステム１は、スタジオ撮影モードが選択されている場合には、フレーミング時にコマンドダイヤル２７が操作されると、これに追従して絞り部１２の絞り開口が変化する。したがって、撮影者は、この絞り値の変化による被写界深度の変化をスルー画像を介してリアルタイムで確認できる。
このように、本実施形態のカメラシステム１は、撮影時の絞り値を変更する度にプレビュー釦２９を操作することなく被写界深度の変化を確認できるので操作性が向上する。
また、スタジオ撮影モードで静止被写体を撮影する場合、被写界深度をシビアにコントロールすることが望まれるので、撮影時の絞り値を頻繁に変更することが想定されるが、本実施形態のカメラシステム１は、撮影時の絞り値を頻繁に変更しても、その都度プレビュー釦２９を操作する必要がなく便利である。
【００５１】
（２）絞り開口を変化させて被写界深度を変更しても、露出制御部４０がスルー画像の露出調整制御を行うので、スルー画像の表示輝度が急激に変化することがない。したがって、撮影者は、ライブビュー撮影モードにおいて、快適に撮影を行うことができる。
（３）露出制御部４０は、スルー画像の表示輝度調整を行う際、撮像蓄積時間Ｔｖをフリッカーの影響を受けにくい範囲で制御するので、スルー画像の視認性が向上する。
【００５２】
［第２実施形態］
次に、本発明を適用したカメラの第２実施形態であるカメラ本体を含むカメラシステムについて説明する。この第２実施形態及びその他の実施形態において、上述した第１実施形態と同様な機能を果たす部分には、同一の符号又は末尾に統一した符号を付して、重複する説明や図面を適宜省略する。
図４は、第２実施形態のカメラシステムの構造を示す図である。
【００５３】
第１実施形態のカメラシステム１は、カメラ本体２０に備えられた絞り駆動部２８の本体側レバー２８ａと、交換レンズ鏡筒１０に備えられた絞り部１２の鏡筒側レバー１２ｃとが機械的に係合しており、絞り部１２をカメラ本体２０側から機械的に駆動した。
これに対し、第２実施形態のカメラシステム２の交換レンズ鏡筒１１０は、絞り羽根１１２ａを支持する支持部材１１２ｂを駆動する絞り駆動アクチュエータ１１２ｃを備えている。また、交換レンズ鏡筒１１０は、カメラ本体１２０の制御部１３０から電気接点Ｃを介して送信される絞り駆動信号に応じて絞り駆動アクチュエータ１１２ｃを駆動するレンズ制御部１１３を備えている。
【００５４】
第１実施形態のカメラシステム１において、交換レンズ鏡筒１０の絞り部１２が機械的に駆動されたのに対し、第２実施形態のカメラシステム２では、交換レンズ鏡筒１１０の絞り部１１２が電気的に駆動される。これ以外のカメラ本体１２０の制御部３０が行う制御（スルー画像の露出制御（図２参照）及び撮影絞り値の変更制御（図３参照））は、第１実施形態と実質的に同じなので、ここではその説明を省略するが、この第２実施形態のカメラシステムも、第１実施形態と同様の効果を得ることができる。なお、図４において、カメラ本体１２０は、第１実施形態のような機械的な絞り駆動機構を備えていないが、カメラ本体１２０は、このような機械的な絞り駆動機構を備え、マウント部Ｍに装着される交換レンズ鏡筒の種類に応じて、絞り部１１２を適宜機械的又は電気的に駆動してもよい。
【００５５】
［第３実施形態］
次に、本発明を適用した交換レンズ鏡筒の実施形態を含むカメラシステム３について説明する。
この第３実施形態のカメラシステム３の構成については、第２実施形態のカメラシステムを示す図４において、括弧を付した符号によって説明する。
第３実施形態のカメラシステム３は、交換レンズ鏡筒２１０に備えられたレンズ制御部２１３が、電気接点Ｃを介してカメラ本体１２０と通信を行って、コマンドダイヤル２７の操作による撮影時の絞り値の変更指示を検出する。そして、レンズ制御部２１３は、この入力支持に応じて絞り駆動アクチュエータ１１２ｃを制御して、絞り開口を変化させる。
このように、第３実施形態のカメラシステム３は、交換レンズ鏡筒２２０のレンズ制御部２１３が図３に示す撮影絞り値の変更制御を行うようになっている点が第２実施形態と異なっているが、第２実施形態のカメラシステム２と同様の効果を得ることができる。
【００５６】
［変形形態］
本発明は、以上説明した実施形態に限定されることなく、種々の変形や変更が可能であって、それらも本発明の技術的範囲内である。
（１）実施形態のカメラシステムは、スタジオ撮影モードが選択された場合に入力操作部（コマンドダイヤル）の操作に連動して絞り開口が変更されるとしたが、これに限らず、例えば、手持ち撮影モードにおいて同様の制御を行ってもよい。
（２）実施形態において、スルー画像はカメラ本体の背面部に設けられた表示部に表示されたが、スルー画像を表示する表示部は、これに限られない。例えば、実施形態のファインダ光学系の代わりにＥＶＦ（Electronic  View  Finder）装置を配置して、このＥＶＦに備えられた液晶表示装置にスルー画像を表示してもよい。また、カメラ本体にパーソナルコンピュータ等の表示装置を含む外部接続機器を接続し、この外部表示装置にスルー画像を表示してもよい。
【図面の簡単な説明】
【００５７】
【図１】第１実施形態のカメラシステムの構造を示す図である。
【図２】図１に示すカメラシステムを用いて撮影を行う際に制御部が行う制御を示すフローチャートである。
【図３】図１に示す制御部がコマンドダイヤルの操作に応じて絞り値を変更する際の制御を示すフローチャートである。
【図４】第２実施形態及び第３実施形態のカメラシステムの機械的な構造を示す図である。
【符号の説明】
【００５８】
１  カメラシステム  ：  １０  交換レンズ鏡筒  ：  １２  絞り部  ：  ２０  カメラ本体  ：  ２７  コマンドダイヤル  ：  ２８  絞り駆動部  ：  ３０  制御部  ：  
４０  露出制御部
【図１】
0005303878.tif 000002
【図２】
0005303878.tif 000003
【図３】
0005303878.tif 000004
【図４】
0005303878.tif 000005